(57)【要約】【課題】入力されるレース結果情報等のテキストデータから多彩な静止画を生成し、その静止画と、レースを実況する動画とを同時表示する公営競技場のレース結果情報画面を生成して、端末に表示するレース結果表示システムを得る。【解決手段】レース結果情報画面生成装置３は、動画データ生成部３１２によりレースを実況する動画データを生成し、静止画データ生成部３１７によりレース結果情報を含む静止画データを生成し、ＨＴＭＬデータ生成部３１６により動画及び静止画を１画面に配置するＨＴＭＬデータを生成して、これらの動画データ、静止画データ及びＨＴＭＬデータに基づきレース結果情報画面データ生成部３２１によりレース結果情報画面データを生成して、ネットワークを介してレース結果表示端末６に送信して表示モニタ８に表示させるようにした。【選択図】        図１
2004312462.tif 000002
【特許請求の範囲】
【請求項１】
公営競技場のレース結果を示すレース結果情報画面のデータを生成するレース結果情報画面生成装置、及びこのレース結果情報画面生成装置により生成されたレース結果情報画面データをネットワークを介して受信し、上記受信されたレース結果情報画面データに基づきレース結果情報画面を表示するレース結果表示端末を備え、上記レース結果情報画面生成装置は、入力される上記レースの実況動画に基づき動画データを生成する動画データ生成部と、入力されるレース結果情報を含むテキストデータから静止画データを生成する静止画データ生成部と、動画及び静止画を１画面に配置するＨＴＭＬデータを生成するＨＴＭＬデータ生成部と、上記動画データ、静止画データ及びＨＴＭＬデータに基づきレース結果情報画面データを生成するレース結果情報画面データ生成部とにより構成され、上記レース結果表示端末は、上記レース結果情報画面生成装置から上記ネットワークを介して上記レース結果情報画面データを受信するデータ受信部と、このデータ受信部により受信された上記レース結果情報画面データを蓄積するデータ蓄積部と、このデータ蓄積部に蓄積された上記レース結果情報画面データを上記レース結果情報画面データ中のＨＴＭＬデータにしたがって表示するデータ表示部とにより構成されていることを特徴とするレース結果表示システム。
【請求項２】
公営競技場のレース結果を示すレース結果情報画面のデータを生成するレース結果情報画面生成装置、このレース結果情報画面生成装置により生成されたレース結果情報画面データをメモリカードに書き込むメモリカードライタ、及びこのメモリカードライタによりレース結果情報画面データが書き込まれたメモリカードが挿入され、上記メモリカードに書き込まれたレース結果情報画面データに基づきレース結果情報画面を表示するレース結果表示端末を備え、上記レース結果情報画面生成装置は、入力される上記レースの実況動画に基づき動画データを生成する動画データ生成部と、入力されるレース結果情報を含むテキストデータから静止画データを生成する静止画データ生成部と、動画及び静止画を１画面に配置するＨＴＭＬデータを生成するＨＴＭＬデータ生成部と、上記動画データ、静止画データ及びＨＴＭＬデータに基づきレース結果情報画面データを生成するレース結果情報画面データ生成部とにより構成され、上記レース結果表示端末は、上記メモリカードが挿入される挿入部と、上記メモリカードに書き込まれた上記レース結果情報画面データを蓄積するデータ蓄積部と、このデータ蓄積部に蓄積された上記レース結果情報画面データを上記レース結果情報画面データ中のＨＴＭＬデータにしたがって表示するデータ表示部とにより構成されていることを特徴とするレース結果表示システム。
【請求項３】
上記レース結果表示端末は、ユーザのリクエストを示すキーコードを取得するキーコード取得部を有し、上記キーコード取得部により取得されたキーコードに応じた上記レース結果情報画面データを上記データ蓄積部から読出し、上記データ表示部により表示することを特徴とする請求項１または請求項２記載のレース結果表示システム。
【請求項４】
上記動画データ、静止画データ及びＨＴＭＬデータの生成に用いられる設定を行うデータ設定部を備え、上記動画データ生成部、静止画データ生成部、ＨＴＭＬデータ生成部は、それぞれ上記データ設定部の設定にしたがって上記動画データ、静止画データ、ＨＴＭＬデータを生成することを特徴とする請求項１〜請求項３のいずれかに記載のレース結果表示システム。
【発明の詳細な説明】
【０００１】
【発明の属する技術分野】
この発明は、公営競技場におけるレース結果情報を表示するレース結果表示システムに関するものである。
【０００２】
【従来の技術】
従来の動画データ、静止画データを同時に１画面に表示するシステムにおいては、動画、静止画、描画の各入力装置から得られるデータを、制御情報検出手段により検出した制御情報をもとに、重ね合わせ表示や選択的分割表示を行うようにしたものであった。（例えば、特許文献１参照）
【０００３】
【特許文献１】
特開昭６２−２００８８８号公報（第３頁、第２図）
【０００４】
【発明が解決しようとする課題】
従来の技術は、単に動画、静止画の入力装置から入力されたデータを制御情報に従って、重ね合わせ表示や分割表示を行う画面を提供するものに過ぎず、静止画の代わりに入力されるデータが、テキストデータ情報の場合、動画と静止画の同時表示を行う画面が提供できないという問題がある。
また、動画と静止画を同時表示したデータを作成することができない、また蓄積することができないため、過去の同時表示を行った画面を見ることができないという問題があった。
【０００５】
この発明は、上記のような課題を解決するためになされたものであり、入力されるレース結果情報等のテキストデータから多彩な静止画を自動で生成し、その静止画と、レースを実況する動画とを同時表示する公営競技場のレース結果情報画面を自動で生成すると共に、その画面データを各レース毎に蓄積し、ユーザからのリクエストに応じて表示するようにしたレース結果表示システムを得ることを目的とする。
【０００６】
【課題を解決するための手段】
この発明に係わるレース結果表示システムにおいては、公営競技場のレース結果を示すレース結果情報画面のデータを生成するレース結果情報画面生成装置、及びこのレース結果情報画面生成装置により生成されたレース結果情報画面データをネットワークを介して受信し、受信されたレース結果情報画面データに基づきレース結果情報画面を表示するレース結果表示端末を備え、レース結果情報画面生成装置は、入力されるレースの実況動画に基づき動画データを生成する動画データ生成部と、入力されるレース結果情報を含むテキストデータから静止画データを生成する静止画データ生成部と、動画及び静止画を１画面に配置するＨＴＭＬデータを生成するＨＴＭＬデータ生成部と、動画データ、静止画データ及びＨＴＭＬデータに基づきレース結果情報画面データを生成するレース結果情報画面データ生成部とにより構成され、レース結果表示端末は、レース結果情報画面生成装置からネットワークを介してレース結果情報画面データを受信するデータ受信部と、このデータ受信部により受信されたレース結果情報画面データを蓄積するデータ蓄積部と、このデータ蓄積部に蓄積されたレース結果情報画面データをレース結果情報画面データ中のＨＴＭＬデータにしたがって表示するデータ表示部とにより構成されているものである。
【０００７】
【発明の実施の形態】
実施の形態１．
図１は、この発明の実施の形態１によるレース結果表示システムの概念を示すブロック図である。
図１において、公営競技場内の実況映像システム１からの動画及び上位ホストコンピュータ２からのレース情報やレース結果情報のテキストデータが、レース結果情報画面生成装置３に入力される。レース結果情報画面生成装置３は、データ設定５（データ設定部）で予め設定されたデータ、及び動画録画の開始、停止を示すキュー入力パネル４からの入力信号に従い、静止画、動画の自動生成、及び静止画、動画を同時表示するレース結果情報画面データの自動生成を行う。レース結果情報画面生成装置３は、この画面データを蓄積後、ネットワークにより接続され、種々の場所に設置された複数のレース結果表示端末６へ転送する。
レース結果表示端末６は、ユーザがリクエストを行うリクエストボタン７からの入力信号に従い、リクエストボタンナンバーに従ったレース結果情報画面を表示モニタ８に表示する。
【０００８】
図２は、この発明の実施の形態１によるレース結果表示システムのレース結果情報画面生成装置を示すブロック図である。
図２において、まず、レース結果情報画面生成装置に表示される設定画面等により設定されたデータ設定５から、（１）生成する動画データのサイズやビットレート等の動画生成情報の設定、（２）生成する静止画の背景データや背景に貼付るコンテンツの指定、文字描画のフォント指定、表示位置指定等の静止画生成情報の設定、（３）静止画と動画の表示位置、リクエストボタンと表示する画面の対応などのＨＴＭＬデータ生成情報の設定等の設定情報を設定データ取得部３１４によって取得し、これらの情報を統合したデータテーブルをデータテーブル生成部３１５により生成する。
また、上位ホストコンピュータ２から送られる競技、投票、課金等の様々な情報から、情報取得部３１３にてレース情報やレース結果情報を取り出し、データテーブル生成部３１５にてデータテーブルを更新する。キュー入力パネル４より開始キュー、終了キューのキュー信号を、キュー信号取得部３１１で取得し、動画録画の開始か終了かを通知する。動画データ生成部３１２は、開始キューを受け取ると、データテーブル生成部３１５で作られたデータテーブルの内容をもとに、実況映像システムからの動画を取り込み、デジタル圧縮形式にてエンコードしながら録画を行い、終了キューを受け取ると録画終了し、動画データを自動生成する。
【０００９】
データテーブル生成部３１５にて、レース結果情報のデータを得てテーブルデータの取得が完了すると、まず、ＨＴＭＬデータ生成部３１６にて、データテーブルのデータに従って、指定された位置で動画、静止画を１画面で表示する記述、及びリクエストボタンコードに応じて表示するＨＴＭＬデータの対応を記述したＨＴＭＬデータを自動生成する。
次に、静止画データ生成部３１７にて、データテーブルのデータに従って、静止画コンテンツデータ部３１９から指定された背景や背景に貼り付けるコンテンツを読み込み、指定された位置に貼り付ける。
さらに、上位ホストコンピュータ２から得られるレース結果情報のテキストデータを指定されたフォント、サイズ、位置に従い、フォントデータ部３１８によりフォントを読み込み、背景に描画し、静止画データを自動生成する。
【００１０】
動画データ、静止画データ、ＨＴＭＬデータを生成すると、レース結果情報画面データ生成部３２１にて、これらのデータを集めてレース結果情報画面データを生成し、データ蓄積部３２２へ蓄積する。データ蓄積後、蓄積されているレース結果情報画面データを昇順に並べると共に、ユーザからのレース結果表示リクエストがない場合に、レース結果情報画面表示が、１レース、２レース、・・・、１レース、・・・とサイクリック表示するように表示順序スケジュール記述を、蓄積されている全てのレース結果情報画面データに対し、更新する。データ更新後、蓄積されている全レース結果情報画面データをデータ転送部３２３にてネットワークで接続された複数のレース結果表示端末６へ転送する
【００１１】
次に、実施の形態１のレース結果情報画面生成装置の動作について、図３を参照しながら説明する。
図３は、この発明の実施の形態１によるレース結果情報画面生成装置の動作を示すフローチャートである。
図３において、まず、レース結果情報画面生成装置に表示されるメニュー画面からデータ設定５により動画、静止画、ＨＴＭＬ生成情報の設定を行い、設定データ取得部３１４にて設定データを取得する。
動画生成情報の設定は、サイズ、ビットレート、圧縮動画データ形式を設定する。
静止画生成情報の設定は、背景画像データ名、背景画像データに貼り付ける複数の部品画像データ名とそれぞれの貼付け位置、レース結果情報のテキストデータを描画するフォント名、フォントサイズ、描画位置を設定する。
ＨＴＭＬ生成情報の設定は、動画データ表示位置、静止画データ表示位置、リクエストボタンコードとそれに対応して表示するレース結果情報画面データ名の設定を行う（ステップＳ１）。ステップＳ１で取得した設定データからデータテーブル生成部３１５にて動画、静止画、ＨＴＭＬを生成するための情報を記したデータテーブルを生成する（ステップＳ２）。
【００１２】
次に、上位ホストコンピュータ２から送られる競技、投票、課金等の様々な情報から情報取得部３１３にてレース情報を取得する（ステップＳ３）。取得される情報は、レース名、開催名、開催日、レースナンバー、出走者等の情報である。ステップＳ３で取得されたレース情報データを、ステップＳ２で生成されたデータテーブルに追加更新する（ステップＳ４）。この時点では、レースが行われる前の状態であるため、レース結果の情報を入手することはない。
次に、キュー入力パネル４によりオペレータの操作にて開始キューが押されると、その開始キュー信号をキュー信号取得部３１１にて取得し、動画データ生成部３１２に通知する（ステップＳ５）。動画データ生成部３１２は、ステップＳ５にて通知された開始キューにより、実況映像システムから入力される実況動画の取り込みを開始し、デジタル化して、デジタル圧縮形式の動画にエンコードする（ステップＳ６）。この時、取り込む動画サイズ、デジタル圧縮形式にエンコードする際のビットレート、デジタル圧縮形式名の各データをステップＳ４にて生成したデータテーブルより読み込み、このデータに従って、ステップＳ６を実行する。生成される動画をデジタル圧縮形式にすることにより、静止画との同一表示が可能となる。ステップＳ６実行中に、キュー入力パネル４からの終了キュー信号をキュー信号取得部３１１にて取得し、動画データ生成部３１２へ通知する（ステップＳ７）。動画データ生成部３１２は、終了通知を受けると、動画データの取り込み、エンコードを終了し、データテーブルのレース名データを読み込み、このレース名を動画データファイル名として（例えば１レースの場合、０１Ｒ．ｍｐｇ等）、動画データファイルを自動生成する（ステップＳ８）。
【００１３】
次に、レースが終了し、上位ホストコンピュータ２からレース結果情報を取得すると（ステップＳ９）、その情報をデータテーブル生成部３１５にてデータテーブルに追加更新する（ステップ１０）。レース結果情報として取得する情報は、着順、決り手、払戻金等の情報である。このレース結果情報を取得し、必要なデータが全て取得されたかどうかデータテーブルの項目をチェックする（ステップＳ１１）。未入手情報があれば、ステップＳ９、Ｓ１０の処理を繰り返す。レース結果情報が全て入手されると、静止画データの生成、ＨＴＭＬデータの生成を開始する。
本発明のレース結果表示システムでは、レース結果情報画面として、動画と静止画を１画面で表示し、ボタンリクエストに応じて、各レース結果情報画面を表示する表示アプリケーションとしてＷＥＢブラウザを使用する。そこで、レース結果情報画面生成装置３では、このＨＴＭＬデータを生成する。ステップＳ１１にてレース結果情報が入手されると、ＨＴＭＬデータ生成部３１６にて、データテーブルの、動画表示位置、静止画表示位置、リクエストボタンとそれに対応したレース結果情報画面名のデータを読み込み、ＨＴＭＬデータを生成する。生成されたＨＴＭＬデータは、データテーブルのレース名データから、レース名をファイル名とした（例えば１レースの場合、０１Ｒ．ｈｔｍ１等）ＨＴＭＬデータファイルを自動生成する（ステップＳ１２）。
【００１４】
また、ステップＳ１１にて、レース結果情報が入手されると、静止画データ生成部３１７にて、静止画の生成を行う。静止画の生成は、まずデータテーブルの背景画像名、背景へ貼り付ける部品画像名及び貼付け位置データに従い、静止画コンテンツデータ部３１９から背景画像データと部品画像データを読み込み、背景画像に部品画像を貼り付けていき、ベースとなる静止画を生成する。
次に、データテーブルのレース名、開催名、開催日、レースナンバー、出走者、着順、決り手、払戻金のデータ及びそれぞれのフォント名、サイズ、描画位置のデータに従って、上記で作成したベースの静止画に文字描画を行う。
このようにして、静止画データの生成を行い、生成した静止画データは、データテーブルのレース名データから、レース名をファイル名とした（例えば１レースの場合、０１Ｒ．ｂｍｐ等）静止画データファイルを自動生成する（ステップＳ１３）。静止画データの生成が終了すると、ステップＳ３にて追加されたデータテーブルのレース情報部分のデータを消去し、次レースの情報を登録できるようにすることで、次々と行われるレースの画面生成を可能とする（ステップＳ１４）。
【００１５】
レース結果情報画面データ生成部３２１は、動画データ、静止画データ、ＨＴＭＬデータがすべて生成されると、レース結果情報画面データとして統合し、レース結果情報画面データを生成し、生成したデータを、データ蓄積部３２２へ蓄積する（ステップＳ１５）。蓄積後、蓄積された全てのレース結果情報画面データをレースナンバー順に昇順にソートし、レース結果表示がボタン入力によるリクエストがない場合にはサイクリック表示を行うように、各レース結果情報画面のＨＴＭＬデータに対して一定時間後、次レースへ自動切換を行う記述を自動で行う。既に記述されたＨＴＭＬに対しては再記述を行う（ステップＳ１６）。ステップＳ１６で、更新されたデータ蓄積部３２２内の全てのレース結果情報画面データをデータ転送部３２３へコピーし、データ転送部３２３よりネットワークで接続されたレース結果表示端末６へ、レース結果情報画面データを転送する（ステップＳ１７）。
レース結果情報画面データを受信したレース結果表示端末６は、データを蓄積し、ユーザがリクエストボタンを押すことにより発生されるボタンコードを受信すると、レース結果情報画面データのＨＴＭＬデータに記述されたボタンコードに対するレースナンバーに従い、リクエストされたレース結果情報画面を表示モニタ８へ出力する。
【００１６】
以上のように、実施の形態１によれば、動画とテキストデータの入力に基づき、動画データ、多彩な静止画データを自動で生成し、生成した動画と静止画を１画面で表示するデータを自動で生成することができるようにしたので、公営競技場におけるレース結果表示システムにおいては、レース結果情報及び実況動画の入力に基づき、実況動画と多彩なレース結果静止画を１画面で表示するレース結果情報画面を自動で生成し、表示するレース結果表示システムを構築することができる。
また、レース結果情報画面データをレース毎に自動生成し、ユーザが見たいレース結果情報画面のリクエストに応じて、レース結果情報画面を表示することができるレース結果表示システムを構築できる。
さらに、レース結果情報画面データを自動スケジュールリングすることで、レース結果情報画面のリクエストがない場合でも、順次レース結果情報画面を表示することができる。
【００１７】
実施の形態２．
実施の形態２を図４に基づいて説明する。
図４は、この発明の実施の形態２によるレース結果表示端末を示すブロック図である。
図４において、リクエストボタン７から入力されるキーコードを取得するキーコード取得部６１、レース結果情報画面生成装置３より転送されるレース結果情報画面データを受信するデータ受信部６２、受信したデータを蓄積するデータ蓄積部６３、ＷＥＢブラウザによりキーコード取得部６１にて取得したキーコードに応じて、データ蓄積部６３のレース結果情報画面データを表示モニタ８に表示するデータ表示部６４である。
【００１８】
次に、実施の形態２の動作について図５を参照しながら説明する。
図５は、この発明の実施の形態２によるレース結果表示端末の動作を示すフローチャートである。
図５において、まずレース結果情報画面生成装置３から転送されるレース結果情報画面データをデータ受信部６２により受信する（ステップＳ１１）。受信したデータは、レース結果表示端末内部の記憶メモリのデータ蓄積部６３に蓄積する（ステップＳ１２）。次に、予め設定された起動時に表示するレース結果情報画面名に従って、データ表示部６４において、レース結果情報画面データをデータ蓄積部６３より読出し（ステップＳ１３）、レース結果情報画面データのＨＴＭＬデータに従って、ブラウザで映像化し、実況動画とレース結果静止画が１画面で表示され、接続された表示モニタ８へ出力する（ステップＳ１４）。次に、キーコード取得部６１よりユーザからのリクエストのキーコードが取得されたかどうかを判別する（ステップＳ１５）。
【００１９】
キーコードが取得されると、データ表示部６４は、現在表示されているレース結果情報画面データのＨＴＭＬデータの記述に従い、キーコードに対応したレース結果情報画面データをデータ蓄積部６３から読出し（ステップＳ１６）、ステップＳ１４により、レース結果情報画面を表示する。
また、ステップＳ１５で、キーコードが取得されない場合、ＨＴＭＬに記述されたサイクリック表示スケジュールにより、画面切り替え時間かどうかを判別し（ステップＳ１７）、画面切換時間であれば、ＨＴＭＬ記述に従って、次に表示するレース結果情報画面データをデータ蓄積部６３より読み込み（ステップＳ１８）、ステップＳ１４により、レース結果情報画面を表示することでサイクリック表示を行う。ステップＳ１７で、画面切り替え時間でなければ、引き続きステップＳ１５の処理を行う。
【００２０】
このように、実施の形態２によれば、自動で生成されたレース結果情報画面データをユーザのリクエストに応じて表示モニタへ表示することができる。
【００２１】
実施の形態３．
実施の形態３を図６に基づいて説明する。
図６は、この発明の実施の形態３によるレース結果表示システムを示すブロック図である。
図６において、レース結果情報画面生成装置３には、メモリカード９１にデータコピーするメモリカードライター９が接続され、レース結果表示端末６は、メモリカード９１が挿入される挿入部が形成されている。
【００２２】
実施の形態３は、実施の形態１において、レース結果情報画面生成装置３とレース結果表示端末６間をネットワーク接続せず、レース結果情報画面生成装置３で作成されたレース結果情報画面データを、メモリカードライター９にてメモリカード９１にコピーし、そのメモリカード９１をレース結果表示端末６に挿入することで、レース結果情報画面が表示可能なレース結果表示システムが示されている。こうすることで、メモリカードによるレース結果情報画面データの受け渡しを可能としている。
【００２３】
実施の形態３によれば、メモリカードによるデータ受け渡しを可能とすることで、システム導入時にネットワークケーブルの敷設が必要なくなるため、安価なシステム導入コストとすることができる。
また、メモリカードの有料レンタルや有料会員への貸与等、新たなビジネスモデルの構築が可能となる。
【００２４】
【発明の効果】
この発明は、以上説明したように、公営競技場のレース結果を示すレース結果情報画面のデータを生成するレース結果情報画面生成装置、及びこのレース結果情報画面生成装置により生成されたレース結果情報画面データをネットワークを介して受信し、受信されたレース結果情報画面データに基づきレース結果情報画面を表示するレース結果表示端末を備え、レース結果情報画面生成装置は、入力されるレースの実況動画に基づき動画データを生成する動画データ生成部と、入力されるレース結果情報を含むテキストデータから静止画データを生成する静止画データ生成部と、動画及び静止画を１画面に配置するＨＴＭＬデータを生成するＨＴＭＬデータ生成部と、動画データ、静止画データ及びＨＴＭＬデータに基づきレース結果情報画面データを生成するレース結果情報画面データ生成部とにより構成され、レース結果表示端末は、レース結果情報画面生成装置からネットワークを介してレース結果情報画面データを受信するデータ受信部と、このデータ受信部により受信されたレース結果情報画面データを蓄積するデータ蓄積部と、このデータ蓄積部に蓄積されたレース結果情報画面データをレース結果情報画面データ中のＨＴＭＬデータにしたがって表示するデータ表示部とにより構成されているので、レースの実況動画とレース結果情報を含む静止画を１画面に生成したレース結果情報画面を表示することができる。
【図面の簡単な説明】
【図１】この発明の実施の形態１によるレース結果表示システムの概念を示すブロック図である。
【図２】この発明の実施の形態１によるレース結果表示システムのレース結果情報画面生成装置を示すブロック図である。
【図３】この発明の実施の形態１によるレース結果表示システムのレース結果情報画面生成装置の動作を示すフローチャートである。
【図４】この発明の実施の形態２によるレース結果表示端末を示すブロック図である。
【図５】この発明の実施の形態２によるレース結果表示端末の動作を示すフローチャートである。
【図６】この発明の実施の形態３によるレース結果表示システムを示すブロック図である。
【符号の説明】
１  実況映像システム、２  上位ホストコンピュータ、
３  レース結果情報画面生成装置、４  キュー入力パネル、５  データ設置、
６  レース結果表示端末、７  リクエストボタン、８  表示モニタ、
９  メモリカードライター、６１  キーコード取得部、６２  データ受信部、
６３  データ蓄積部、６４  データ表示部、９１  メモリカード、
３１１  キュー信号取得部、３１２  動画データ生成部、
３１３  情報取得部、３１４  設定データ取得部、
３１５  データテーブル生成部、３１６  ＨＴＭＬデータ生成部、
３１７  静止画データ生成部、３１８  フォントデータ部、
３１９  静止画コンテンツデータ部、
３２１  レース結果情報画面データ生成部、３２２  データ蓄積部、
３２３  データ転送部。
【図１】
2004312462.tif 000003
【図２】
2004312462.tif 000004
【図３】
2004312462.tif 000005
【図４】
2004312462.tif 000006
【図５】
2004312462.tif 000007
【図６】
2004312462.tif 000008